(57)【要約】【課題】ディスクリネーションの発生を抑える。【解決手段】第１画素電極１１８Ａ及び第１対向電極１０８Ａを備える第１画素と、第１画素に対して列方向と行方向の少なくとも一方に並び、第２画素電極１１８Ｂ及び第２対向電極１０８Ｂを備える第２画素と、対向電極１０８Ａ及び対向電極１０８Ｂにそれぞれ第１電圧及び第２電圧を供給する対向電極電圧供給部と、画素電極１１８Ａ及び画素電極１１８Ｂにそれぞれ第１画素及び第２画素に対応する画像信号を供給する画像信号供給部とを備え、対向電極電圧供給部は、第１画素及び第２画素への書き込み期間ごとに、第１電圧と第２電圧の電位差が、画素電極１１８Ａに供給される電圧と対向電極１０８Ａに供給される電圧との最大の電位差の１／２以下となる電圧値を設定し、書き込み期間ごとに、第１電圧と第２電圧の少なくともいずれかの電圧値を異なる値に設定する。【選択図】図７
2017009845.tif 000002
【特許請求の範囲】
【請求項１】
第１画素電極及び第１対向電極を備える第１画素と、
前記第１画素に対して列方向と行方向の少なくとも一方に並び、第２画素電極及び第２対向電極を備える第２画素と、
前記第１対向電極及び前記第２対向電極にそれぞれ第１電圧及び第２電圧を供給する対向電極電圧供給部と、
前記第１画素電極及び前記第２画素電極にそれぞれ第１画素及び第２画素に対応する画像信号を供給する画像信号供給部と、を備え、
前記対向電極電圧供給部は、前記第１画素及び前記第２画素への書き込み期間ごとの前記第１電圧及び前記第２電圧の電圧値として、前記第１電圧と前記第２電圧の電位差が、前記第１画素電極に供給される電圧と前記第１対向電極に供給される電圧との最大の電位差の１／２以下となる電圧値を設定し、前記書き込み期間ごとに、前記第１電圧と前記第２電圧の少なくともいずれかの電圧値を異なる値に設定する、
ことを特徴とする電気光学装置。
【請求項２】
複数の前記書き込み期間で一画像形成期間が形成され、
前記対向電極電圧供給部は、前記一画像形成期間において、前記第１電圧及び前記第２電圧の電圧値として３値の電圧値を用いる、
ことを特徴とする請求項１に記載の電気光学装置。
【請求項３】
複数の前記第１画素及び前記第２画素が、市松模様状に交互に設けられる、
ことを特徴とする請求項１または請求項２に記載の電気光学装置。
【請求項４】
複数の前記第１画素及び前記第２画素のそれぞれが、行方向または列方向にライン状に並べられ、前記第１画素のラインと前記第２画素のラインが交互に設けられる、
ことを特徴とする請求項１または請求項２に記載の電気光学装置。
【請求項５】
請求項１ないし請求項４のいずれか一項に記載の電気光学装置を備えたことを特徴とする電子機器。
【請求項６】
第１画素電極及び第１対向電極を備える第１画素と、前記第１画素に対して列方向と行方向の少なくとも一方に並び、第２画素電極及び第２対向電極を備える第２画素とを備える電気光学装置の駆動方法であって、
前記第１対向電極及び前記第２対向電極にそれぞれ第１電圧及び第２電圧を供給し、
前記第１画素電極及び前記第２画素電極にそれぞれ第１画素及び第２画素に対応する画像信号を供給し、
前記第１電圧及び第２電圧を供給する際、前記第１画素及び前記第２画素への書き込み期間ごとの前記第１電圧及び前記第２電圧の電圧値として、前記第１電圧と前記第２電圧の電位差が、前記第１画素電極に供給される電圧と前記第１対向電極に供給される電圧との最大の電位差の１／２以下となる電圧値を設定し、前記書き込み期間ごとに、前記第１電圧と前記第２電圧の少なくともいずれかの電圧値を異なる値に設定する、
ことを特徴とする電気光学装置の駆動方法。
【発明の詳細な説明】
【技術分野】
【０００１】
本発明は、ディスクリネーションの発生を抑える技術に関する。
【背景技術】
【０００２】
液晶パネルにおいては、隣り合う画素間の電位差に起因して、画素電極から対向電極（又は、その逆方向）に向かうべき電界が隣り合う画素電極の方向に向かう横電界が発生し、液晶分子が所期の配向方向とは異なる方向に配向する、ディスクリネーションが発生することがある。ディスクリネーションの発生は、液晶パネルの表示品位を低下させる原因となる。特許文献１は、ディスクリネーションの発生を抑えるための技術を開示している。
【先行技術文献】
【特許文献】
【０００３】
【特許文献１】特開２００９−２５４１７号公報
【発明の概要】
【発明が解決しようとする課題】
【０００４】
ところで、横電界が強くなる画素間の印加電圧の差を小さくするように、これらのうちの一方又は両方の画素の表示データを補正すれば、横電界が弱くなってディスクリネーションの発生を抑えられる。しかしながら、この画素間の電位差を小さくするために印加電圧の変化を大きくしてしまうと、この電圧変化に伴う表示内容の変化がユーザーに視認されやすくなり、表示背反の発生という別の問題が生じることがある。
本発明は、上述した事情に鑑みてなされたもので、その目的は、ディスクリネーションの発生を抑えることである。
【課題を解決するための手段】
【０００５】
上述した課題を解決するために、本発明の一態様は、第１画素電極及び第１対向電極を備える第１画素と、前記第１画素に対して列方向と行方向の少なくとも一方に並び、第２画素電極及び第２対向電極を備える第２画素と、前記第１対向電極及び前記第２対向電極にそれぞれ第１電圧及び第２電圧を供給する対向電極電圧供給部と、前記第１画素電極及び前記第２画素電極にそれぞれ第１画素及び第２画素に対応する画像信号を供給する画像信号供給部と、を備え、前記対向電極電圧供給部は、前記第１画素及び前記第２画素への書き込み期間ごとの前記第１電圧及び前記第２電圧の電圧値として、前記第１電圧と前記第２電圧の電位差が、前記第１画素電極に供給される電圧と前記第１対向電極に供給される電圧との最大の電位差の１／２以下となる電圧値を設定し、前記書き込み期間ごとに、前記第１電圧と前記第２電圧の少なくともいずれかの電圧値を異なる値に設定することを特徴とする。
【０００６】
前記一態様によれば、例えば第１画素における第１画素電極と第１対向電極に電位差が最大となる電圧が供給され、第１画素に対して列方向と行方向の少なくとも一方に並ぶ第２画素においては、前記最大の電位差の１／２以下となる電圧が第２画素電極と第２対向電極に供給されたとすると、第１対向電極に供給される第１電圧と第２対向電極に供給される第２電圧の電位差が前記最大の電位差の１／２以下であるため、第１画素電極に供給される電圧と第２画素電極に供給される電圧の電位差も前記最大の電位差の１／２以下となり、ディスクリネーションの発生を抑える。
【０００７】
上述した電気光学装置の一態様において、複数の前記書き込み期間で一画像形成期間が形成され、前記対向電極電圧供給部は、前記一画像形成期間において、前記第１電圧及び前記第２電圧の電圧値として３値の電圧値を用いるようにしてもよい。この場合には、第１画素電極と第１対向電極の間の電界の方向、及び、第２画素電極と第２対向電極の間の電界の方向、即ち、第１画素及び第２画素に供給する電圧の極性を、書き込み期間ごとに切り換えた場合でも、前記第１電圧及び前記第２電圧の電圧値として３値の電圧値が一画像形成期間内で用いられるため、各書き込み期間において、第１画素電極に供給される電圧と第２画素電極に供給される電圧の電位差も前記最大の電位差の１／２以下とすることが容易となり、ディスクリネーションの発生を抑える。
【０００８】
上述した電気光学装置の一態様において、複数の前記第１画素及び前記第２画素が、市松模様状に交互に設けられるようにしてもよい。この場合には、行方向及び列方向の両方の方向において、第１画素及び第２画素への書き込み期間ごとの第１電圧及び第２電圧の電圧値は、第１画素電極に供給される電圧と第１対向電極に供給される電圧との最大の電位差の１／２以下となる電圧値が設定される。したがって、行方向及び列方向の両方の方向において、第１画素電極に供給する電圧と第２画素電極に供給する電圧との電位差を前記最大の電位差の１／２以下とすることが容易となり、ディスクリネーションの発生を抑える。
【０００９】
上述した電気光学装置の一態様において、複数の前記第１画素及び前記第２画素のそれぞれが、行方向または列方向にライン状に並べられ、前記第１画素のラインと前記第２画素のラインが交互に設けられるようにしてもよい。この場合には、行方向または列方向において、第１画素及び第２画素への書き込み期間ごとの第１電圧及び第２電圧の電圧値は、第１画素電極に供給される電圧と第１対向電極に供給される電圧との最大の電位差の１／２以下となる電圧値が設定される。したがって、行方向または列方向において、第１画素電極に供給する電圧と第２画素電極に供給する電圧との電位差を前記最大の電位差の１／２以下とすることが容易となり、ディスクリネーションの発生を抑える。
【００１０】
本発明に係る電子機器は、上述した本発明に係る電気光学装置を備える。そのような電子機器は、液晶ディスプレイ等の表示装置において、ディスクリネーションの発生が抑えられ、画質を向上させることができる。
【００１１】
本発明に係る電気光学装置の駆動方法の一態様は、第１画素電極及び第１対向電極を備える第１画素と、前記第１画素に対して列方向と行方向の少なくとも一方に並び、第２画素電極及び第２対向電極を備える第２画素とを備える電気光学装置の駆動方法であって、前記第１対向電極及び前記第２対向電極にそれぞれ第１電圧及び第２電圧を供給し、前記第１画素電極及び前記第２画素電極にそれぞれ第１画素及び第２画素に対応する画像信号を供給し、前記第１電圧及び第２電圧を供給する際、前記第１画素及び前記第２画素への書き込み期間ごとの前記第１電圧及び前記第２電圧の電圧値として、前記第１電圧と前記第２電圧の電位差が、前記第１画素電極に供給される電圧と前記第１対向電極に供給される電圧との最大の電位差の１／２以下となる電圧値を設定し、前記書き込み期間ごとに、前記第１電圧と前記第２電圧の少なくともいずれかの電圧値を異なる値に設定することを特徴とする。
【図面の簡単な説明】
【００１２】
【図１】本発明の第１実施形態に係る電気光学装置の構成を示すブロック図である。
【図２】電気光学装置の液晶パネルの構成を示す図である。
【図３】画素の構成を示す回路図である。
【図４】対向電極の配置を示す図である。
【図５】対向電極と対向電源線の接続を説明する図である。
【図６】画素電極と走査線の接続を説明する図である。
【図７】電気光学装置の動作を示すタイミングチャートである。
【図８】第１行第１列の画素と第１行第２列の画素の両方において白色表示を行った際の対向電極の電位差と画素電極の電位差を示す図である。
【図９】第１行第１列の画素において白色表示を行い、第１行第２列の画素において中間色表示を行った際の対向電極の電位差と画素電極の電位差を示す図である。
【図１０】第１行第１列の画素において中間色表示を行い、第１行第２列の画素において白色表示を行った際の対向電極の電位差と画素電極の電位差を示す図である。
【図１１】第１行第１列の画素と第１行第２列の画素の両方において中間色表示を行った際の対向電極の電位差と画素電極の電位差を示す図である。
【図１２】第１行第１列の画素において白色表示を行い、第１行第２列の画素において黒色表示を行った際の対向電極の電位差と画素電極の電位差を示す図である。
【図１３】第１行第１列の画素において黒色表示を行い、第１行第２列の画素において白色表示を行った際の対向電極の電位差と画素電極の電位差を示す図である。
【図１４】第１行第１列の画素と第１行第２列の画素の両方において黒色表示を行った際の対向電極の電位差と画素電極の電位差を示す図である。
【図１５】第１行第１列から第８行第６列の８行×６列の表示領域において、第３行第２列から第３行第５列までと第４行第２列から第４行第５列までの画素は中間色表示を行い、他の画素は白色表示を行った場合の第１フィールドにおける対向電極に印加するコモン電圧の電圧値を示す図である。
【図１６】図１５の場合の第１フィールドにおける画素電極に印加する画像信号の電圧値を示す図である。
【図１７】図１５の場合の行方向及び列方向における対向電極間の電位差を示す図である。
【図１８】図１６の場合の行方向及び列方向における画素電極間の電位差を示す図である。
【図１９】図１５の場合の第２フィールドにおける対向電極に印加するコモン電圧の電圧値を示す図である。
【図２０】図１５の場合の第２フィールドにおける画素電極に印加する画像信号の電圧値を示す図である。
【図２１】図１９の場合の行方向及び列方向における対向電極間の電位差を示す図である。
【図２２】図２０の場合の行方向及び列方向における画素電極間の電位差を示す図である。
【図２３】図１５の場合の第３フィールドにおける対向電極に印加するコモン電圧の電圧値を示す図である。
【図２４】図１５の場合の第３フィールドにおける画素電極に印加する画像信号の電圧値を示す図である。
【図２５】図２３の場合の行方向及び列方向における対向電極間の電位差を示す図である。
【図２６】図２４の場合の行方向及び列方向における画素電極間の電位差を示す図である。
【図２７】図１５の場合の第４フィールドにおける対向電極に印加するコモン電圧の電圧値を示す図である。
【図２８】図１５の場合の第４フィールドにおける画素電極に印加する画像信号の電圧値を示す図である。
【図２９】図２７の場合の行方向及び列方向における対向電極間の電位差を示す図である。
【図３０】図２８の場合の行方向及び列方向における画素電極間の電位差を示す図である。
【図３１】図９の第２フィールドにおける対向電極間の電位差と画素電極の電位差、及び、図１０の第２フィールドにおける対向電極間の電位差と画素電極の電位差を示す図である。
【図３２】フルレンジに対する隣接画素間電位差の比率と、ドメイン量に関係を示す図である。
【図３３】保持状態の画素の位置を示す図である。
【図３４】図３３に示す保持状態の画素のうち信号線１１４−１に接続された画素の各フィールドにおけるゲート・ソース間電圧及びドレイン・ソース間電圧の電圧値を示す図である。
【図３５】図３３に示す保持状態の画素のうち信号線１１４−２に接続された画素の各フィールドにおけるゲート・ソース間電圧及びドレイン・ソース間電圧の電圧値を示す図である。
【図３６】第２実施形態における電気光学装置の動作を示すタイミングチャートである。
【図３７】第１行第１列の画素と第１行第２列の画素の両方において白色表示を行った際の対向電極の電位差と画素電極の電位差を示す図である。
【図３８】第１行第１列の画素において白色表示を行い、第１行第２列の画素において中間色表示を行った際の対向電極の電位差と画素電極の電位差を示す図である。
【図３９】第１行第１列の画素において中間色表示を行い、第１行第２列の画素において白色表示を行った際の対向電極の電位差と画素電極の電位差を示す図である。
【図４０】第１行第１列の画素と第１行第２列の画素の両方において中間色表示を行った際の対向電極の電位差と画素電極の電位差を示す図である。
【図４１】第１行第１列の画素において白色表示を行い、第１行第２列の画素において黒色表示を行った際の対向電極の電位差と画素電極の電位差を示す図である。
【図４２】第１行第１列の画素において黒色表示を行い、第１行第２列の画素において白色表示を行った際の対向電極の電位差と画素電極の電位差を示す図である。
【図４３】第１行第１列の画素と第１行第２列の画素の両方において黒色表示を行った際の対向電極の電位差と画素電極の電位差を示す図である。
【図４４】図３３に示す保持状態の画素のうち信号線１１４−１に接続された画素の各フィールドにおけるゲート・ソース間電圧及びドレイン・ソース間電圧の電圧値を示す図である。
【図４５】図３３に示す保持状態の画素のうち信号線１１４−２に接続された画素の各フィールドにおけるゲート・ソース間電圧及びドレイン・ソース間電圧の電圧値を示す図である。
【図４６】電子機器の他の例を示す説明図である。
【図４７】電子機器の他の例を示す説明図である。
【図４８】電子機器の一例を示す説明図である。
【図４９】比較例におけるゲート・ソース間電圧及びドレイン・ソース間電圧の電圧値を示す図である。
【発明を実施するための形態】
【００１３】
以下、本発明の実施の形態について図面を参照して説明する。
＜第１実施形態＞
図１は、第１実施形態に係る電気光学装置の全体構成を示すブロック図である。図１に示すように、電気光学装置１の構成は、タイミング制御回路１０と、液晶パネル１００と、表示制御回路２０とを備えている。
タイミング制御回路１０は、各種の制御信号を生成して、図示せぬ上位装置から与えられる同期信号Ｓyncに同期して電気光学装置１の各部を制御する。表示制御回路２０は、電気光学装置１の表示を制御する。表示制御回路２０には、同期信号Ｓyncに同期して外部装置から入力表示データＤa-inが入力される。
入力表示データＤa-inは、液晶パネル１００が有する複数画素（後述する、表示領域１０１）の各画素の階調レベルを指定するデジタルデータである。階調レベルは、画素の明るさのレベルを規定するパラメーターである。ここでは、入力表示データＤa-inを８ビットとして、画素で表現すべき階調レベルを、十進値で最も暗い「０」から最も明るい「２５５」までの「１」刻みで２５６階調を指定している。
入力表示データＤa-inは、同期信号Ｓyncに含まれる垂直走査信号、水平走査信号及びドットクロック信号（いずれも図示省略）に従った走査の順番で供給される。表示制御回路２０は、入力表示データＤa-inを処理して表示データＤa-outを液晶パネル１００に出力する。
液晶パネル１００は、例えば、各画素をトランジスターなどのスイッチング素子により駆動するアクティブ・マトリクス型の表示装置（表示部）である。液晶パネル１００は、表示制御回路２０から供給される表示データＤa-outに基づいて画像を表示する。
なお、入力表示データＤa-inは液晶パネル１００の各画素（後述する画素１１０）の階調レベルを指定するものであるが、階調レベルに応じて液晶素子の印加電圧が定まるので、入力表示データＤa-inは液晶素子の印加電圧を指定するものといって差し支えない。
【００１４】
図２は、液晶パネル１００の構成を示す図である。図１に示すように、液晶パネル１００のうち画像が表示される表示領域１０１では、Ｘ方向に延在するｍ行の走査線１１２と、Ｙ方向に延在して走査線１１２に直交するｎ列の信号線１１４が形成される（ｍ，ｎは自然数）。各信号線１１４と各走査線１１２とは互いに電気的に絶縁を保つように設けられる。そして、これらｍ行の走査線１１２とｎ列の信号線１１４との交点のそれぞれに対応して、画素１１０がそれぞれ設けられる。したがって、この実施形態では、表示領域１０１において、画素１１０が縦ｍ行×横ｎ列でマトリクス状に配列される。
表示領域１０１の周辺には、走査線駆動回路１３０と信号線駆動回路１４０とが配置される。走査線駆動回路１３０は、タイミング制御回路１０から供給される選択信号Ｙctrによって指定される走査線１１２を選択する。走査線駆動回路１３０は、選択した走査線１１２に対する走査信号を選択電圧に相当するＨレベルとする一方、他の走査線１１２に対する走査信号を非選択電圧に相当するＬレベルとする。
信号線駆動回路１４０は、表示データＤa-outに基づいて、いわゆる電圧変調方式で画素１１０を駆動するものである。具体的には、信号線駆動回路１４０は、タイミング制御回路１０から供給される選択信号Ｘctrに従って１〜ｎ列目の信号線１１４に、それぞれ表示データＤa-outに応じた大きさの電圧のデータ信号を供給する。
液晶パネル１００を駆動することによって、画像の１コマ分を表示させるのに要する画像表示期間はフレームと呼ばれる。その期間は、例えば同期信号Ｓyncに含まれる垂直走査信号の周波数が６０Ｈｚであれば、その逆数である１６．７ミリ秒である。
以上の構成を有する走査線駆動回路１３０及び信号線駆動回路１４０の協働により、電気光学装置１における駆動回路が実現される。
画素１１０は、画素電極と対向電極とで液晶を挟持した液晶素子を有し、走査線１１２が選択されたときに、信号線１１４に供給されたデータ信号が画素電極に印加されるものである。
【００１５】
図３は、画素１１０の等価回路を示す図である。図３に示すように、画素１１０は、走査線１１２と信号線１１４との交差に対応して、第１画素電極１１８Ａと第１対向電極１０８Ａとで、あるいは、第２画素電極１１８Ｂと第２対向電極１０８Ｂとで、液晶１０５を挟持した液晶素子１２０が配列した構成である。第１対向電極１０８ＡにはＣＯＭ電源線１１７Ａが接続され、第２対向電極１０８ＢにはＣＯＭ電源線１１７Ｂが接続される。このように、本実施形態においては、対向電極が第１対向電極１０８Ａと第２対向電極１０８Ｂとの２系統で構成されている。詳しくは後述する。
画素１１０の等価回路では、液晶素子１２０に対して並列に補助容量（蓄積容量）１２５が設けられる。補助容量１２５は、一端が第１画素電極１１８Ａまたは第２画素電極１１８Ｂに接続され、他端が容量線１１５に共通接続される。容量線１１５は時間的に一定の電圧に保たれている。
ここで、走査線１１２がＨレベルになると、その走査線にゲート電極が接続されたＴＦＴ１１６がオンとなり、第１画素電極１１８Ａまたは第２画素電極１１８Ｂが信号線１１４に接続される。このため、走査線１１２がＨレベルであるときに、信号線１１４に階調に応じた大きさの電圧のデータ信号が供給されると、そのデータ信号は、オンしたＴＦＴ１１６を介して第１画素電極１１８Ａまたは第２画素電極１１８Ｂに供給される。走査線１１２がＬレベルになると、ＴＦＴ１１６はオフするが、第１画素電極１１８Ａまたは第２画素電極１１８Ｂに印加された電圧は、液晶素子１２０の容量性及び補助容量１２５によって保持される。
液晶素子１２０では、第１画素電極１１８Ａ及び第１対向電極１０８Ａ、または、第２画素電極１１８Ｂ及び第２対向電極１０８Ｂによって生じる電界に応じて液晶１０５の分子配向状態が変化する。このため、液晶素子１２０は、透過型であれば、印加・保持電圧に応じた透過率となる。液晶パネル１００では、液晶素子１２０ごとに透過率が変化するので、画素１１０の各々が液晶素子１２０を有する。
本実施形態においては、液晶１０５をＶＡ（Vertical Alignment）方式として、液晶素子１２０が電圧無印加時において黒状態となるノーマリーブラックモードである。
【００１６】
本実施形態の対向電極１０８は、図４に示すように、第１対向電極１０８Ａと第２対向電極１０８Ｂの２系統に分けられている。一例として、本実施形態では、第１対向電極１０８Ａと第２対向電極１０８Ｂが市松模様状に行方向及び列方向に交互に配置されている。
図５に示すように、第１対向電極１０８Ａと第２対向電極１０８Ｂは、それぞれスルーホール１０９Ａとスルーホール１０９Ｂを介して、コモン電源線１１７Ａとコモン電源線１１７Ｂに接続されている。対向電極１０８Ａにはコモン電源線１１７Ａを介して第１電圧としてのコモン電圧ＣＯＭ１が供給される。また、対向電極１０８Ｂにはコモン電源線１１７Ｂを介して第２電圧としてのコモン電圧ＣＯＭ２が供給される。
コモン電圧ＣＯＭ１とコモン電圧ＣＯＭ２の電圧値は、固定の電圧値ではなく、３値の電圧値が書き込み期間としての１フィールドごとに切り換えられる。一例として、本実施形態では、コモン電圧ＣＯＭ１とコモン電圧ＣＯＭ２として、５．７５Ｖ、７．００Ｖ、及び８．２５Ｖの３値の電圧値が、１フィールドごとに切り換えられ、第１対向電極１０８Ａと第２対向電極１０８Ｂに印加される。
また、コモン電圧ＣＯＭ１とコモン電圧ＣＯＭ２は、各フィールドにおいて異なる電圧値となり、かつ、コモン電圧ＣＯＭ１とコモン電圧ＣＯＭ２との電位差が各フィールドにおいて１．２５Ｖとなるように設定される。本実施形態では、対向電極１０８と画素電極１１８との最大の電位差であるフルレンジの電位差が５．００Ｖなので、コモン電圧ＣＯＭ１とコモン電圧ＣＯＭ２との電位差１．２５Ｖは、フルレンジの電位差の２５％となる。
本実施形態では、コモン電圧ＣＯＭ１が１フィールドごとに、７．００Ｖ、８．２５Ｖ、７．００Ｖ、５．７５Ｖの順で切り換えられ、コモン電圧ＣＯＭ２が１フィールドごとに、５．７５Ｖ、７．００Ｖ、８．２５Ｖ、７．００Ｖの順で切り換えられる。
【００１７】
液晶１０５の劣化を防止するために、画素容量を交流駆動することが原則であるが、液晶素子１２０を交流駆動する場合に、ある階調レベルを表現するように画素を駆動する際に、振幅中心電圧となるコモン電圧に対して、画素電極の電圧を高位側とする正極性と、振幅中心電圧となるコモン電圧に対して、画素電極の電圧を低位側とする負極性との２種類が必要となる。
なお、実施形態の電圧については、液晶素子１２０の印加電圧を除き、特に明記しない限り図示省略した接地電位を電圧ゼロの基準とする。液晶素子１２０の印加電圧は、対向電極１０８のコモン電圧ＣＯＭと画素電極１１８の電圧との電位差である。液晶素子１２０に階調レベルに応じた電圧を保持させる際、書込極性が正極性の場合には、対向電極１０８のコモン電圧ＣＯＭよりも画素電極１１８の電位が高くなり、書込極性が負極性の場合には、対向電極１０８の電圧ＣＯＭよりも画素電極１１８の電位が低くなる。
本実施形態では、図６に示すように、第１対向電極１０８Ａに対向する位置には第１画素電極１１８Ａが対向配置され、第２対向電極１０８Ｂに対向する位置には第２画素電極１１８Ｂが配置される。コモン電圧ＣＯＭ１とコモン電圧ＣＯＭ２が、各フィールドにおいて１．２５Ｖの電位差を有するように異なる電圧値に設定され、かつ、１フィールドごとに３値の電圧値のいずれかとなるように切り換えられる。したがって、第１画素電極１１８Ａと第２画素電極１１８Ｂの電圧値は、同一階調であっても、コモン電圧ＣＯＭ１またはコモン電圧ＣＯＭ２の電圧値とに応じて、あるいは、正極性または負極性のいずれかに設定される書込極性とに応じて異なる電圧値に設定されることになる。
【００１８】
次に、一例として、Ｘ方向（列方向）に８画素、及びＹ方向（行方向）に６画素が配置された８×６画素の液晶パネルに、白色表示、中間調であるグレイ表示、及び黒色表示をさせた場合の画素電極１１８Ａと画素電極１１８Ｂの電圧値について説明する。なお、以下の説明においては、１フレーム期間(一画像表示期間)では同じ画像を表示するものとする。また、グレイ表示画素の画素電極電位は、対向電極に対して２．５Ｖに限定される訳ではなく、８ビット階調の電位を取り得る。
図７はこの動作例のタイミングチャートである。図７において、対向電極の電圧はＨ、Ｍ、Ｌと表示されているが、Ｈは８．２５Ｖ、Ｍは７．００Ｖ、Ｌは５．７５Ｖに対応している。また、図７のタイミングチャートは、図６における領域Ｒ１の信号線１１４−１及び信号線１１４−２に接続された画素の動作例を示している。
図８は、第１対向電極１０８Ａに対応する画素（例えば第１行第１列の画素）と、当該画素に隣り合う第２対向電極１０８Ｂ（例えば第１行第２列の画素）に対応する画素とに、いずれも白色を表示させる場合のコモン電圧ＣＯＭ１とコモン電圧ＣＯＭ２の電圧値、及び、第１画素電極１１８Ａと第２画素電極１１８Ｂの電圧値を示す図である。コモン電圧ＣＯＭ１とコモン電圧ＣＯＭ２の電圧値は実線で示されており、第１画素電極１１８Ａと第２画素電極１１８Ｂの電圧値は点線で示されている。
第１フィールドは、正極性の第１パターン（以下、正極性１とする）であり、コモン電圧ＣＯＭ１が７．００Ｖ、コモン電圧ＣＯＭ２が５．７５Ｖに設定され、第１画素電極１１８Ａの電圧は１２．００Ｖ、第２画素電極１１８Ｂの電圧は１０．７５Ｖに設定される。
第２フィールドは、負極性の第２パターン（以下、負極性２とする）であり、コモン電圧ＣＯＭ１が８．２５Ｖ、コモン電圧ＣＯＭ２が７．００Ｖに設定され、第１画素電極１１８Ａの電圧は３．２５Ｖ、第２画素電極１１８Ｂの電圧は２．００Ｖに設定される。
第３フィールドは、負極性の第１パターン（以下、負極性１とする）であり、コモン電圧ＣＯＭ１が７．００Ｖ、コモン電圧ＣＯＭ２が８．２５Ｖに設定され、第１画素電極１１８Ａの電圧は２．００Ｖ、第２画素電極１１８Ｂの電圧は３．２５Ｖに設定される。
第４フィールドは、正極性の第２パターン（以下、正極性２とする）であり、コモン電圧ＣＯＭ１が５．７５Ｖ、コモン電圧ＣＯＭ２が７．００Ｖに設定され、第１画素電極１１８Ａの電圧は１０．７５Ｖ、第２画素電極１１８Ｂの電圧は１２．００Ｖに設定される。
この場合には、隣り合う第１対向電極１０８Ａと第２対向電極１０８Ｂの電位差はいずれの場合も１．２５Ｖであり、隣り合う第１画素電極１１８Ａと第２画素電極１１８Ｂの電位差もいずれの場合も１．２５Ｖである。
【００１９】
図９は、第１対向電極１０８Ａに対応する画素に白色を表示させ、当該画素に隣り合う第２対向電極１０８Ｂに対応する画素に、中間色のグレイを表示させる場合のコモン電圧ＣＯＭ１とコモン電圧ＣＯＭ２の電圧値、及び、第１画素電極１１８Ａと第２画素電極１１８Ｂの電圧値を示す図である。コモン電圧ＣＯＭ１とコモン電圧ＣＯＭ２の電圧値は実線で示されており、第１画素電極１１８Ａと第２画素電極１１８Ｂの電圧値は点線で示されている。
第１フィールドは、正極性１であり、コモン電圧ＣＯＭ１が７．００Ｖ、コモン電圧ＣＯＭ２が５．７５Ｖに設定され、第１画素電極１１８Ａの電圧は１２．００Ｖ、第２画素電極１１８Ｂの電圧は８．２５Ｖに設定される。
第２フィールドは、負極性２であり、コモン電圧ＣＯＭ１が８．２５Ｖ、コモン電圧ＣＯＭ２が７．００Ｖに設定され、第１画素電極１１８Ａの電圧は３．２５Ｖ、第２画素電極１１８Ｂの電圧は４．５０Ｖに設定される。
第３フィールドは、負極性１であり、コモン電圧ＣＯＭ１が７．００Ｖ、コモン電圧ＣＯＭ２が８．２５Ｖに設定され、第１画素電極１１８Ａの電圧は２．００Ｖ、第２画素電極１１８Ｂの電圧は５．７５Ｖに設定される。
第４フィールドは、正極性２であり、コモン電圧ＣＯＭ１が５．７５Ｖ、コモン電圧ＣＯＭ２が７．００Ｖに設定され、第１画素電極１１８Ａの電圧は１０．７５Ｖ、第２画素電極１１８Ｂの電圧は９．５０Ｖに設定される。
この場合には、隣り合う第１対向電極１０８Ａと第２対向電極１０８Ｂの電位差はいずれの場合も１．２５Ｖであり、隣り合う第１画素電極１１８Ａと第２画素電極１１８Ｂの電位差は、正極性１においては３．７５Ｖ、負極性２においては１．２５Ｖ、負極性１においては３．７５Ｖ、正極性２においては１．２５Ｖである。
【００２０】
図１０は、第１対向電極１０８Ａに対応する画素に中間色のグレイを表示させ、当該画素に隣り合う第２対向電極１０８Ｂに対応する画素に白色を表示させる場合のコモン電圧ＣＯＭ１とコモン電圧ＣＯＭ２の電圧値、及び、第１画素電極１１８Ａと第２画素電極１１８Ｂの電圧値を示す図である。コモン電圧ＣＯＭ１とコモン電圧ＣＯＭ２の電圧値は実線で示されており、第１画素電極１１８Ａと第２画素電極１１８Ｂの電圧値は点線で示されている。
第１フィールドは、正極性１であり、コモン電圧ＣＯＭ１が７．００Ｖ、コモン電圧ＣＯＭ２が５．７５Ｖに設定され、第１画素電極１１８Ａの電圧は９．５０Ｖ、第２画素電極１１８Ｂの電圧は１０．７５Ｖに設定される。
第２フィールドは、負極性２であり、コモン電圧ＣＯＭ１が８．２５Ｖ、コモン電圧ＣＯＭ２が７．００Ｖに設定され、第１画素電極１１８Ａの電圧は５．７５Ｖ、第２画素電極１１８Ｂの電圧は２．００Ｖに設定される。
第３フィールドは、負極性１であり、コモン電圧ＣＯＭ１が７．００Ｖ、コモン電圧ＣＯＭ２が８．２５Ｖに設定され、第１画素電極１１８Ａの電圧は４．５０Ｖ、第２画素電極１１８Ｂの電圧は３．２５Ｖに設定される。
第４フィールドは、正極性２であり、コモン電圧ＣＯＭ１が５．７５Ｖ、コモン電圧ＣＯＭ２が７．００Ｖに設定され、第１画素電極１１８Ａの電圧は８．２５Ｖ、第２画素電極１１８Ｂの電圧は１２．００Ｖに設定される。
この場合には、隣り合う第１対向電極１０８Ａと第２対向電極１０８Ｂの電位差はいずれの場合も１．２５Ｖであり、隣り合う第１画素電極１１８Ａと第２画素電極１１８Ｂの電位差は、正極性１においては１．２５Ｖ、負極性２においては３．７５Ｖ、負極性１においては１．２５Ｖ、正極性２においては３．７５Ｖである。
【００２１】
図１１は、第１対向電極１０８Ａに対応する画素と、当該画素に隣り合う第２対向電極１０８Ｂに対応する画素とに、いずれも中間色のグレイを表示させる場合のコモン電圧ＣＯＭ１とコモン電圧ＣＯＭ２の電圧値、及び、第１画素電極１１８Ａと第１画素電極１１８Ｂの電圧値を示す図である。コモン電圧ＣＯＭ１とコモン電圧ＣＯＭ２の電圧値は実線で示されており、第１画素電極１１８Ａと第２画素電極１１８Ｂの電圧値は点線で示されている。
第１フィールドは、正極性１であり、コモン電圧ＣＯＭ１が７．００Ｖ、コモン電圧ＣＯＭ２が５．７５Ｖに設定され、第１画素電極１１８Ａの電圧は９．５０Ｖ、第２画素電極１１８Ｂの電圧は８．２５Ｖに設定される。
第２フィールドは、負極性２であり、コモン電圧ＣＯＭ１が８．２５Ｖ、コモン電圧ＣＯＭ２が７．００Ｖに設定され、第１画素電極１１８Ａの電圧は５．７５Ｖ、第２画素電極１１８Ｂの電圧は４．５０Ｖに設定される。
第３フィールドは、負極性１であり、コモン電圧ＣＯＭ１が７．００Ｖ、コモン電圧ＣＯＭ２が８．２５Ｖに設定され、第１画素電極１１８Ａの電圧は４．５０Ｖ、第２画素電極１１８Ｂの電圧は５．７５Ｖに設定される。
第４フィールドは、正極性２であり、コモン電圧ＣＯＭ１が５．７５Ｖ、コモン電圧ＣＯＭ２が７．００Ｖに設定され、第１画素電極１１８Ａの電圧は８．２５Ｖ、第２画素電極１１８Ｂの電圧は９．５０Ｖに設定される。
この場合には、隣り合う第１対向電極１０８Ａと第２対向電極１０８Ｂの電位差はいずれの場合も１．２５Ｖであり、隣り合う第１画素電極１１８Ａと第２画素電極１１８Ｂの電位差もいずれの場合も１．２５Ｖである。
【００２２】
図１２は、第１対向電極１０８Ａに対応する画素に白色を表示させ、当該画素に隣り合う第２対向電極１０８Ｂに対応する画素に黒色を表示させる場合のコモン電圧ＣＯＭ１とコモン電圧ＣＯＭ２の電圧値、及び、第１画素電極１１８Ａと第２画素電極１１８Ｂの電圧値を示す図である。コモン電圧ＣＯＭ１とコモン電圧ＣＯＭ２の電圧値は実線で示されており、第１画素電極１１８Ａと第２画素電極１１８Ｂの電圧値は点線で示されている。
第１フィールドは、正極性１であり、コモン電圧ＣＯＭ１が７．００Ｖ、コモン電圧ＣＯＭ２が５．７５Ｖに設定され、第１画素電極１１８Ａの電圧は１２．００Ｖ、第２画素電極１１８Ｂの電圧は５．７５Ｖに設定される。
第２フィールドは、負極性２であり、コモン電圧ＣＯＭ１が８．２５Ｖ、コモン電圧ＣＯＭ２が７．００Ｖに設定され、第１画素電極１１８Ａの電圧は３．２５Ｖ、第２画素電極１１８Ｂの電圧は７．００Ｖに設定される。
第３フィールドは、負極性１であり、コモン電圧ＣＯＭ１が７．００Ｖ、コモン電圧ＣＯＭ２が８．２５Ｖに設定され、第１画素電極１１８Ａの電圧は２．００Ｖ、第２画素電極１１８Ｂの電圧は８．２５Ｖに設定される。
第４フィールドは、正極性２であり、コモン電圧ＣＯＭ１が５．７５Ｖ、コモン電圧ＣＯＭ２が７．００Ｖに設定され、第１画素電極１１８Ａの電圧は１０．７５Ｖ、第２画素電極１１８Ｂの電圧は７．００Ｖに設定される。
この場合には、隣り合う第１対向電極１０８Ａと第２対向電極１０８Ｂの電位差はいずれの場合も１．２５Ｖであり、隣り合う第１画素電極１１８Ａと第２画素電極１１８Ｂの電位差は、正極性１においては６．２５Ｖ、負極性２においては３．７５Ｖ、負極性１においては６．２５Ｖ、正極性２においては３．７５Ｖである。
【００２３】
図１３は、第１対向電極１０８Ａに対応する画素に黒色を表示させ、当該画素に隣り合う第２対向電極１０８Ｂに対応する画素に白色を表示させる場合のコモン電圧ＣＯＭ１とコモン電圧ＣＯＭ２の電圧値、及び、第１画素電極１１８Ａと第２画素電極１１８Ｂの電圧値を示す図である。コモン電圧ＣＯＭ１とコモン電圧ＣＯＭ２の電圧値は実線で示されており、第１画素電極１１８Ａと第２画素電極１１８Ｂの電圧値は点線で示されている。
第１フィールドは、正極性１であり、コモン電圧ＣＯＭ１が７．００Ｖ、コモン電圧ＣＯＭ２が５．７５Ｖに設定され、第１画素電極１１８Ａの電圧は７．００Ｖ、第２画素電極１１８Ｂの電圧は１０．７５Ｖに設定される。
第２フィールドは、負極性２であり、コモン電圧ＣＯＭ１が８．２５Ｖ、コモン電圧ＣＯＭ２が７．００Ｖに設定され、第１画素電極１１８Ａの電圧は８．２５Ｖ、第２画素電極１１８Ｂの電圧は２．００Ｖに設定される。
第３フィールドは、負極性１であり、コモン電圧ＣＯＭ１が７．００Ｖ、コモン電圧ＣＯＭ２が８．２５Ｖに設定され、第１画素電極１１８Ａの電圧は７．００Ｖ、第２画素電極１１８Ｂの電圧は３．２５Ｖに設定される。
第４フィールドは、正極性２であり、コモン電圧ＣＯＭ１が５．７５Ｖ、コモン電圧ＣＯＭ２が７．００Ｖに設定され、第１画素電極１１８Ａの電圧は５．７５Ｖ、第２画素電極１１８Ｂの電圧は１２．００Ｖに設定される。
この場合には、隣り合う第１対向電極１０８Ａと第２対向電極１０８Ｂの電位差はいずれの場合も１．２５Ｖであり、隣り合う第１画素電極１１８Ａと第２画素電極１１８Ｂの電位差は、正極性１においては３．７５Ｖ、負極性２においては６．２５Ｖ、負極性１においては３．７５Ｖ、正極性２において６．２５Ｖである。
【００２４】
図１４は、第１対向電極１０８Ａに対応する画素と、当該画素に隣り合う第２対向電極１０８Ｂに対応する画素とに、いずれも中間色のグレイを表示させる場合のコモン電圧ＣＯＭ１とコモン電圧ＣＯＭ２の電圧値、及び、第１画素電極１１８Ａと第２画素電極１１８Ｂの電圧値を示す図である。コモン電圧ＣＯＭ１とコモン電圧ＣＯＭ２の電圧値は実線で示されており、第１画素電極１１８Ａと第２画素電極１１８Ｂの電圧値は点線で示されている。
第１フィールドは、正極性１であり、コモン電圧ＣＯＭ１が７．００Ｖ、コモン電圧ＣＯＭ２が５．７５Ｖに設定され、第１画素電極１１８Ａの電圧は７．００Ｖ、第２画素電極１１８Ｂの電圧は５．７５Ｖに設定される。
第２フィールドは、負極性２であり、コモン電圧ＣＯＭ１が８．２５Ｖ、コモン電圧ＣＯＭ２が７．００Ｖに設定され、第１画素電極１１８Ａの電圧は８．２５Ｖ、第２画素電極１１８Ｂの電圧は７．００Ｖに設定される。
第３フィールドは、負極性１であり、コモン電圧ＣＯＭ１が７．００Ｖ、コモン電圧ＣＯＭ２が８．２５Ｖに設定され、第１画素電極１１８Ａの電圧は７．００Ｖ、第２画素電極１１８Ｂの電圧は８．２５Ｖに設定される。
第４フィールドは、正極性２であり、コモン電圧ＣＯＭ１が５．７５Ｖ、コモン電圧ＣＯＭ２が７．００Ｖに設定され、第１画素電極１１８Ａの電圧は５．７５Ｖ、第２画素電極１１８Ｂの電圧は７．００Ｖに設定される。
この場合には、隣り合う第１対向電極１０８Ａと第２対向電極１０８Ｂの電位差はいずれの場合も１．２５Ｖであり、隣り合う第１画素電極１１８Ａと第２画素電極１１８Ｂの電位差もいずれの場合も１．２５Ｖである。
【００２５】
図１５は、第３行、第２列の画素から、第３行、第７列の画素まで、及び、第４行、第２列の画素から、第４行、第７列の画素までに中間色のグレイを表示させ、その他の画素には白色を表示させる場合に、正極性１におけるコモン電圧ＣＯＭ１とコモン電圧ＣＯＭ２の電圧値を示す図である。また、図１６は、図１５の場合の第１画素電極１１８Ａと第２画素電極１１８Ｂの電圧値を示す図である。図１７は、図１６の場合の列方向（Ｘ方向）において隣り合う第１画素電極１１８Ａと第２画素電極１１８Ｂの電位差を示す図である。図１８は、図１６の場合の行方向（Ｙ方向）において隣り合う第１画素電極１１８Ａと第２画素電極１１８Ｂの電位差を示す図である。
【００２６】
図１９は、図１５に示す表示例の負極性２における、コモン電圧ＣＯＭ１とコモン電圧ＣＯＭ２の電圧値を示す図である。また、図２０は、図１９の場合の第１画素電極１１８Ａと第２画素電極１１８Ｂの電圧値を示す図である。図２１は、図２０の場合の列方向（Ｘ方向）において隣り合う第１画素電極１１８Ａと第２画素電極１１８Ｂの電位差を示す図である。図２２は、図２０の場合の行方向（Ｙ方向）において隣り合う第１画素電極１１８Ａと第２画素電極１１８Ｂの電位差を示す図である。
【００２７】
図２３は、図１５に示す表示例の負極性１における、コモン電圧ＣＯＭ１とコモン電圧ＣＯＭ２の電圧値を示す図である。また、図２４は、図２３の場合の第１画素電極１１８Ａと第２画素電極１１８Ｂの電圧値を示す図である。図２５は、図２４の場合の列方向（Ｘ方向）において隣り合う第１画素電極１１８Ａと第２画素電極１１８Ｂの電位差を示す図である。図２６は、図２４の場合の行方向（Ｙ方向）において隣り合う第１画素電極１１８Ａと第２画素電極１１８Ｂの電位差を示す図である。
【００２８】
図２７は、図１５に示す表示例の正極性２における、コモン電圧ＣＯＭ１とコモン電圧ＣＯＭ２の電圧値を示す図である。また、図２８は、図２７の場合の第１画素電極１１８Ａと第２画素電極１１８Ｂの電圧値を示す図である。図２９は、図２８の場合の列方向（Ｘ方向）において隣り合う第１画素電極１１８Ａと第２画素電極１１８Ｂの電位差を示す図である。図３０は、図２８の場合の行方向（Ｙ方向）において隣り合う第１画素電極１１８Ａと第２画素電極１１８Ｂの電位差を示す図である。
【００２９】
第１対向電極１０８Ａに対応する画素と、当該画素に隣り合う第２対向電極１０８Ｂに対応する画素との表示色の組み合わせが、白色と中間色であるグレイになる場合を考える。この場合には、図３１に示すように、第１画素電極１１８Ａと第２画素電極１１８Ｂの電位差が１．２５Ｖになる状態（以下、状態１とする）と、第１画素電極１１８Ａと第２画素電極１１８Ｂの電位差が３．７５Ｖになる状態（以下、状態２とする）が存在することが判る。例えば、図１６に示す正極性１の領域Ｒ３では、第１画素電極１１８Ａと第２画素電極１１８Ｂの電位差は、３．７５Ｖとなり、領域Ｒ４では、第１画素電極１１８Ａと第２画素電極１１８Ｂの電位差は、１．２５Ｖとなる。図２０に示す負極性２の領域Ｒ３では、第１画素電極１１８Ａと第２画素電極１１８Ｂの電位差は、１．２５Ｖとなり、領域Ｒ４では、第１画素電極１１８Ａと第２画素電極１１８Ｂの電位差は、３．７５Ｖとなる。図２４に示す負極性１の領域Ｒ３では、第１画素電極１１８Ａと第２画素電極１１８Ｂの電位差は、３．７５Ｖとなり、領域Ｒ４では、第１画素電極１１８Ａと第２画素電極１１８Ｂの電位差は、１．２５Ｖとなる。図２８に示す負極性１の領域Ｒ３では、第１画素電極１１８Ａと第２画素電極１１８Ｂの電位差は、１．２５Ｖとなり、領域Ｒ４では、第１画素電極１１８Ａと第２画素電極１１８Ｂの電位差は、３．７５Ｖとなる。
図３２に示すように、第１対向電極１０８Ａに対応する画素に白色を表示させ、当該画素に隣り合う第２対向電極１０８Ｂに対応する画素に中間色であるグレイを表示させる組み合わせの場合（図９参照）には、正極性１では状態２、負極性２では状態１、負極性１では状態２、正極性２では状態１となり、１フレームにおいては状態１と状態２が同じ回数生じる。また、第１対向電極１０８Ａに対応する画素に中間色であるグレイを表示させ、当該画素に隣り合う第２対向電極１０８Ｂに対応する画素に白色を表示させる組み合わせの場合（図１０参照）には、正極性１では状態１、負極性２では状態２、負極性１では状態１、正極性２では状態２となり、１フレームにおいては状態１と状態２が同じ回数生じる。
【００３０】
第１対向電極１０８Ａに対応する画素と、当該画素に隣り合う第２対向電極１０８Ｂに対応する画素との表示色の組み合わせが白色と黒色になる場合の第１画素電極１１８Ａと第２画素電極１１８Ｂの電位差が５．００Ｖであり、この場合を１００％とする。コモン電圧ＣＯＭが７．００Ｖで固定の従来例では、白色を表示する画素の第２画素電極１１８Ｂが例えば２．００Ｖとすると、中間色のグレイを表示する画素の第１画素電極１１８Ａの電圧が４．５０Ｖとなり、第２画素電極１１８Ｂと第１画素電極１１８Ａの電位差は２．５０Ｖとなる。この電位差２．５０Ｖは、表示色が白色と黒色の場合の５．００Ｖを１００％としたとき、５０％となる。
一方、前記状態１の場合には第１画素電極１１８Ａと第２画素電極１１８Ｂの電位差が１．２５Ｖであり、表示色が白色と黒色の場合の５．００Ｖに対しては２５％となる。また、前記状態２の場合には第１画素電極１１８Ａと第２画素電極１１８Ｂの電位差が３．７５Ｖであり、表示色が白色と黒色の場合の５．００Ｖに対しては７５％となる。
【００３１】
ドメイン量は、フルレンジ（５．００Ｖ）に対する隣接画素間電位差の比率が２５％に超えてから増加し、図３２に示す曲線のように非線形的に増加する。本実施形態では、表示色が白色と中間色であるグレイの組み合わせになる場合には、上述したように状態１と状態２が交互に繰り返されるため、ドメイン量の実効値は、前記比率が２５％の場合のドメイン量と、前記比率が７５％の場合のドメイン量との平均値となり、従来例の表示色が白色と中間色であるグレイの組み合わせになる場合の前記比率の５０％時のドメイン量よりも改善されることが判る。
【００３２】
以上のように、本実施形態によれば、２系統の対向電極を市松模様状に配置し、それぞれの対向電極に印加するコモン電圧をフィールド毎に切り替え、かつ、隣り合う対向電極の電位差が１．２５Ｖになるようにしたので、従来例に比べてドメイン量を時間積分値で低減することができる。
【００３３】
また、本実施形態によれば、正極性、負極性ともに、２フィールド連続で画像信号を書き込むようにしたので、画面の下側における縦クロストークを緩和することができる。例えば、グレイの背景において窓状に一部の領域を白色で表示する場合においては、当該窓状の一部の領域の下側の領域においては、正極性が２フィールド連続する期間では白側に振れ、正極性から負極性、または負極性から正極性となる２フィールド期間では黒側に振れる。したがって、時間積分で相殺されることになり、従来の駆動と比較して、窓状の一部の領域の下側の縦クロストークを緩和することができる。
【００３４】
さらに、本実施形態によれば、信号線の印加電圧の変化に伴い、フリッカを減少させることができる。以下、このフリッカを減少について説明する。
図３４及び図３５は、図３３に示す信号線１１４−１または信号線１１４−２が選択されている瞬間において図３３に示す点線で囲まれた領域Ｒ５における保持状態の画素の電位を示す図である。
図４９は固定のＣＯＭ電圧が対向電極１０８に印加される従来の比較例において、保持状態の画素の電位を示す図である。直前のフィールドにおいて正極性の書き込みが行われたとすると、対向電極１０８の電圧は７．００Ｖであるから、図４９に示すように画素電極１１８の電圧は９．５０Ｖに保持されている。そして、次のフィールドで負極性の書き込みが行われるとすると、信号線１１４にはこの状態で４．５０Ｖの電圧が供給される。したがって、この瞬間においては、ゲート・ソース間電圧Ｖｇｓは−４．５０Ｖ、ドレイン・ソース間電圧Ｖｄｓは５．００Ｖとなる。
同様に、直前のフィールドにおいて負極性の書き込みが行われたとすると、対向電極１０８の電圧は７．００Ｖであるから、図４９に示すように画素電極の電圧は４．５０Ｖに保持されている。そして、次のフィールドで正極性の書き込みが行われるとすると、信号線１１４にはこの状態で９．５０Ｖの電圧が供給される。したがって、この瞬間においては、ゲート・ソース間電圧Ｖｇｓは−４．５０Ｖ、ドレイン・ソース間電圧Ｖｄｓは５．００Ｖとなる。
したがって、本実施形態において、当該比較例よりもゲート・ソース間電圧Ｖｇｓまたはドレイン・ソース間電圧Ｖｄｓが低い場合には、アクティブ素子のオフリーク電流が低減し、フリッカが低減することになる。以下、本実施形態における保持状態の画素のゲート・ソース間電圧Ｖｇｓ及びドレイン・ソース間電圧Ｖｄｓについて説明する。
【００３５】
図３４及び図３５は、信号線１１４−１または信号線１１４−２が選択されている瞬間において図３３に示す点線で囲まれた領域Ｒ５における保持状態の画素の電位を示す図である。表示は、フリッカが視認しやすい中間調のグレイを表示しているものとして説明する。つまり、第１対向電極１０８Ａと第１画素電極１１８Ａ、及び、第２対向電極１０８Ｂと第２画素電極１１８Ｂの電位差は２．５０Ｖとなっている場合である。
図３４に示すように、信号線１１４−１に接続され、第１対向電極１０８Ａに対応する画素では、第１フィールドの書き込み直前は、第１対向電極１０８ＡのＣＯＭ電圧が７．００Ｖであり、第１画素電極１１８Ａの電圧は電位差２．５０Ｖを保持するために９．５０Ｖとなる。また、信号線１１４−１には９．５０Ｖの電圧が供給される。したがって、ゲート・ソース間電圧Ｖｇｓは−９．５０Ｖ、ドレイン・ソース間電圧Ｖｄｓは０Ｖとなり、いずれも比較例よりも低く、フリッカが低減する。
第２フィールドの書き込み直前は、第１対向電極１０８ＡのＣＯＭ電圧が８．２５Ｖであり、第１画素電極１１８Ａの電圧は電位差２．５０Ｖを保持するために１０．７５Ｖとなる。また、信号線１１４−１には５．７５Ｖの電圧が供給される。したがって、ゲート・ソース間電圧Ｖｇｓは−５．７５Ｖ、ドレイン・ソース間電圧Ｖｄｓは５．０Ｖとなり、ゲート・ソース間電圧Ｖｇｓについては比較例よりも低く、フリッカが低減する。
第３フィールドの書き込み直前は、第１対向電極１０８ＡのＣＯＭ電圧が７．００Ｖであり、第１画素電極１１８Ａの電圧は電位差２．５０Ｖを保持するために４．５０Ｖとなる。また、信号線１１４−１には５．７５Ｖの電圧が供給される。したがって、ゲート・ソース間電圧Ｖｇｓは−５．７５Ｖ、ドレイン・ソース間電圧Ｖｄｓは５．０Ｖとなり、いずれも比較例よりも低く、フリッカが低減する。
第４フィールドの書き込み直前は、第１対向電極１０８ＡのＣＯＭ電圧が５．７５Ｖであり、第１画素電極１１８Ａの電圧は電位差２．５０Ｖを保持するために３．２５Ｖとなる。信号線１１４−１には８．２５Ｖの電圧が供給される。したがって、ゲート・ソース間電圧Ｖｇｓは−３．２５Ｖ、ドレイン・ソース間電圧Ｖｄｓは５．０Ｖとなる。この場合には、ゲート・ソース間電圧Ｖｇｓが比較例よりも高くなる。
【００３６】
図３４に示すように、信号線１１４−１に接続され、第２対向電極１０８Ｂに対応する画素では、第１フィールドの書き込み直前は、第２対向電極１０８ＢのＣＯＭ電圧が５．７５Ｖであり、第２画素電極１１８Ｂの電圧は電位差２．５０Ｖを保持するために８．２５Ｖとなる。また、信号線１１４−１には９．５０Ｖの電圧が供給される。したがって、ゲート・ソース間電圧Ｖｇｓは−８．２５Ｖ、ドレイン・ソース間電圧Ｖｄｓは１．２５Ｖとなり、いずれも比較例よりも低く、フリッカが低減する。
第２フィールドの書き込み直前は、第２対向電極１０８ＢのＣＯＭ電圧が７．００Ｖであり、第２画素電極１１８Ｂの電圧は電位差２．５０Ｖを保持するために９．５０Ｖとなる。また、信号線１１４−１には５．７５Ｖの電圧が供給される。したがって、ゲート・ソース間電圧Ｖｇｓは−５．７５Ｖ、ドレイン・ソース間電圧Ｖｄｓは３．７５Ｖとなり、いずれも比較例よりも低く、フリッカが低減する。
第３フィールドの書き込み直前は、第２対向電極１０８ＢのＣＯＭ電圧が８．２５Ｖであり、第２画素電極１１８Ｂの電圧は電位差２．５０Ｖを保持するために５．７５Ｖとなる。また、信号線１１４−１には４．５０Ｖの電圧が供給される。したがって、ゲート・ソース間電圧Ｖｇｓは−４．５０Ｖ、ドレイン・ソース間電圧Ｖｄｓは１．２５Ｖとなり、ドレイン・ソース間電圧Ｖｄｓは比較例よりも低く、フリッカが低減する。
第４フィールドの書き込み直前は、第２対向電極１０８ＢのＣＯＭ電圧が７．００Ｖであり、第２画素電極１１８Ｂの電圧は電位差２．５０Ｖを保持するために４．５０Ｖとなる。また、信号線１１４−１には８．２５Ｖの電圧が供給される。したがって、ゲート・ソース間電圧Ｖｇｓは−４．５０Ｖ、ドレイン・ソース間電圧Ｖｄｓは３．７５Ｖとなる。この場合には、ドレイン・ソース間電圧Ｖｄｓが比較例よりも高くなる。
【００３７】
図３５に示すように、信号線１１４−２に接続され、第１対向電極１０８Ａに対応する画素では、第１フィールドの書き込み直前は、第１対向電極１０８ＡのＣＯＭ電圧が７．００Ｖであり、第１画素電極１１８Ａの電圧は電位差２．５０Ｖを保持するために９．５０Ｖとなる。また、信号線１１４−２には８．２５Ｖの電圧が供給される。したがって、ゲート・ソース間電圧Ｖｇｓは−８．２５Ｖ、ドレイン・ソース間電圧Ｖｄｓは１．２５Ｖとなり、いずれも比較例よりも低く、フリッカが低減する。
第２フィールドの書き込み直前は、第１対向電極１０８ＡのＣＯＭ電圧が８．２５Ｖであり、第１画素電極１１８Ａの電圧は電位差２．５０Ｖを保持するために１０．７５Ｖとなる。信号線１１４−２には４．５０Ｖの電圧が供給される。したがって、ゲート・ソース間電圧Ｖｇｓは−４．５０Ｖ、ドレイン・ソース間電圧Ｖｄｓは６．２５Ｖとなり、ドレイン・ソース間電圧Ｖｄｓについては比較例よりも高くなる。
第３フィールドの書き込み直前は、第１対向電極１０８ＡのＣＯＭ電圧が７．００Ｖであり、第１画素電極１１８Ａの電圧は電位差２．５０Ｖを保持するために４．５０Ｖとなる。信号線１１４−２には５．７５Ｖの電圧が供給される。したがって、ゲート・ソース間電圧Ｖｇｓは−４．５０Ｖ、ドレイン・ソース間電圧Ｖｄｓは１．２５Ｖとなり、ドレイン・ソース間電圧Ｖｄｓについては比較例よりも低く、フリッカが低減する。
第４フィールドの書き込み直前は、第１対向電極１０８ＡのＣＯＭ電圧が５．７５Ｖであり、第１画素電極１１８Ａの電圧は電位差２．５０Ｖを保持するために３．２５Ｖとなる。また、信号線１１４−２には９．５０Ｖの電圧が供給される。したがって、ゲート・ソース間電圧Ｖｇｓは−３．２５Ｖ、ドレイン・ソース間電圧Ｖｄｓは６．２５Ｖとなる。この場合には、いずれも比較例よりも高くなる。
【００３８】
図３５に示すように、信号線１１４−２に接続され、第２対向電極１０８Ｂに対応する画素では、第１フィールドの書き込み直前は、第２対向電極１０８ＢのＣＯＭ電圧が５．７５Ｖであり、第２画素電極１１８Ｂの電圧は電位差２．５０Ｖを保持するために８．２５Ｖとなる。また、信号線１１４−２には８．２５Ｖの電圧が供給される。したがって、ゲート・ソース間電圧Ｖｇｓは−８．２５Ｖ、ドレイン・ソース間電圧Ｖｄｓは０Ｖとなり、いずれも比較例よりも低く、フリッカが低減する。
第２フィールドの書き込み直前は、第２対向電極１０８ＢのＣＯＭ電圧が７．００Ｖであり、第２画素電極１１８Ｂの電圧は電位差２．５０Ｖを保持するために９．５０Ｖとなる。また、信号線１１４−２には４．５０Ｖの電圧が供給される。したがって、ゲート・ソース間電圧Ｖｇｓは−４．５０Ｖ、ドレイン・ソース間電圧Ｖｄｓは５．００Ｖとなり、いずれも比較例と同じ条件となる。
第３フィールドの書き込み直前は、第２対向電極１０８ＢのＣＯＭ電圧が８．２５Ｖであり、第２画素電極１１８Ｂの電圧は電位差２．５０Ｖを保持するために５．７５Ｖとなる。また、信号線１１４−２には５．７５Ｖの電圧が供給される。したがって、ゲート・ソース間電圧Ｖｇｓは−５．７５Ｖ、ドレイン・ソース間電圧Ｖｄｓは０Ｖとなり、いずれも比較例よりも低く、フリッカが低減する。
第４フィールドの書き込み直前は、第２対向電極１０８ＢのＣＯＭ電圧が７．００Ｖであり、第２画素電極１１８Ｂの電圧は電位差２．５０Ｖを保持するために４．５０Ｖとなる。また、信号線１１４−２には９．５０Ｖの電圧が供給される。したがって、ゲート・ソース間電圧Ｖｇｓは−４．５０Ｖ、ドレイン・ソース間電圧Ｖｄｓは５．００Ｖとなる。この場合には、いずれも比較例と同じ条件となる。
【００３９】
以上のように、ゲート・ソース間電圧Ｖｇｓまたはドレイン・ソース間電圧Ｖｄｓが、あるいはその何れかが比較例よりも高くなる箇所があるものの、当該箇所は局所的かつ瞬間的であり、電圧の程度も極端ではないと捉えられる。したがって、全体としてはゲート・ソース間電圧Ｖｇｓまたはドレイン・ソース間電圧Ｖｄｓが、あるいはその何れかが比較例よりも低くなる箇所が支配的になり、表示全体としてフリッカが低減することになる。
【００４０】
＜第２実施形態＞
次に、図３６ないし図４５を参照しつつ本発明の第２実施形態について説明する。本実施形態は、対向電極に印加するＣＯＭ電圧の切り換えパターンが第１実施形態と異なっている。図３７ないし図４３に示すように、本実施形態においては、第１フィールドから第４フィールドにおいて、正極性１、負極性１、負極性２、正極性２の順序でＣＯＭ電圧を第１対向電極１０８Ａ及び第２対向電極１０８Ｂに印加する。
一例として、第１実施形態と同様に、Ｘ方向に８画素、及びＹ方向に６画素が配置された８×６画素の液晶パネルに、白色表示、中間調であるグレイ表示、及び黒色表示をさせた場合の第１画素電極１１８Ａと第２画素電極１１８Ｂの電圧値について説明する。
図３６はこの動作例のタイミングチャートである。図３６において、対向電極の電圧はＨ、Ｍ、Ｌと表示されているが、Ｈは８．２５Ｖ、Ｍは７．００Ｖ、Ｌは５．７５Ｖに対応している。
図３７は、第１対向電極１０８Ａに対応する画素と、当該画素に隣り合う第２対向電極１０８Ｂに対応する画素とに、いずれも白色を表示させる場合のコモン電圧ＣＯＭ１とコモン電圧ＣＯＭ２の電圧値、及び、第１画素電極１１８Ａと第２画素電極１１８Ｂの電圧値を示す図である。コモン電圧ＣＯＭ１とコモン電圧ＣＯＭ２の電圧値は実線で示されており、第１画素電極１１８Ａと第２画素電極１１８Ｂの電圧値は点線で示されている。
【００４１】
第２実施形態は、ＣＯＭ電圧の印加パターンの順序が第１実施形態と異なるだけなので、第２実施形態おいても表示色が白色と中間色であるグレイの組み合わせになる場合には、上述したように状態１と状態２が交互に繰り返されるため、ドメイン量の実効値は、前記比率が２５％の場合のドメイン量と、前記比率が７５％の場合のドメイン量との平均値となり、従来例の表示色が白色と中間色であるグレイの組み合わせになる場合の前記比率の５０％時のドメイン量よりも改善されることが判る。
以上のように、本実施形態においても、２系統の対向電極を市松模様状に配置し、それぞれの対向電極に印加するコモン電圧をフィールド毎に切り替え、かつ、隣り合う対向電極の電位差が１．２５Ｖになるようにしたので、従来例に比べてドメイン量を時間積分値で低減することができる。
【００４２】
また、本実施形態においても、正極性、負極性ともに、２フィールド連続で画像信号を書き込むようにしたので、画面の下側における縦クロストークを緩和することができる。例えば、グレイの背景において窓状に一部の領域を白色で表示する場合においては、当該窓状の一部の領域の下側の領域においては、正極性が２フィールド連続する期間では白側に振れ、正極性から負極性、または負極性から正極性となる２フィールド期間では黒側に振れる。したがって、時間積分で相殺されることになり、従来の駆動と比較して、窓状の一部の領域の下側の縦クロストークを緩和することができる。
【００４３】
さらに、本実施形態においては、ＣＯＭ電圧１とＣＯＭ電圧２が同時にＭからＬに切り換えられることがないので、ＴＦＴのスレッショルド電圧の変化によるディプレッションシフトによるマージンを増大させ、工程、経時ばらつきの耐性を向上させることができる。
【００４４】
さらに、本実施形態によれば、信号線の印加電圧の変化に伴い、画素に配置されたＴＦＴのオフ時のリーク電流に起因するフリッカを減少させることができる。以下、本実施形態におけるフリッカ及び縦ストロークの減少について説明する。
図４４及び図４５は、信号線１１４−１または信号線１１４−２が選択されている瞬間において図３３に示す点線で囲まれた領域Ｒ５における保持状態の画素の電位を示す図である。表示は、フリッカが視認しやすい中間調のグレイを表示しているものとして説明する。つまり、第１対向電極１０８Ａと第１画素電極１１８Ａ、及び、第２対向電極１０８Ｂと第２画素電極１１８Ｂの電位差は２．５０Ｖとなっている場合である。
図４４に示すように、信号線１１４−１に接続され、第１対向電極１０８Ａに対応する画素では、第１フィールドの書き込み直前は、第１対向電極１０８ＡのＣＯＭ電圧が７．００Ｖであり、第１画素電極１１８Ａの電圧は電位差２．５０Ｖを保持するために９．５０Ｖとなる。また、信号線１１４−１には９．５０Ｖの電圧が供給される。したがって、ゲート・ソース間電圧Ｖｇｓは−９．５０Ｖ、ドレイン・ソース間電圧Ｖｄｓは０Ｖとなり、いずれも比較例よりも低く、フリッカが低減する。
第２フィールドの書き込み直前は、第１対向電極１０８ＡのＣＯＭ電圧が７．００Ｖであり、第１画素電極１１８Ａの電圧は電位差２．５０Ｖを保持するために９．５０Ｖとなる。また、信号線１１４−１には４．５０Ｖの電圧が供給される。したがって、ゲート・ソース間電圧Ｖｇｓは−４．５０Ｖ、ドレイン・ソース間電圧Ｖｄｓは０Ｖとなり、ドレイン・ソース間電圧Ｖｇｓについては比較例よりも低く、フリッカが低減する。
第３フィールドの書き込み直前は、第１対向電極１０８ＡのＣＯＭ電圧が８．２５Ｖであり、第１画素電極１１８Ａの電圧は電位差２．５０Ｖを保持するために５．７５Ｖとなる。また、信号線１１４−１には５．７５Ｖの電圧が供給される。したがって、ゲート・ソース間電圧Ｖｇｓは−５．７５Ｖ、ドレイン・ソース間電圧Ｖｄｓは０Ｖとなり、いずれも比較例よりも低く、フリッカが低減する。
第４フィールドの書き込み直前は、第１対向電極１０８ＡのＣＯＭ電圧が５．７５Ｖであり、第１画素電極１１８Ａの電圧は電位差２．５０Ｖを保持するために３．２５Ｖとなる。信号線１１４−１には８．２５Ｖの電圧が供給される。したがって、ゲート・ソース間電圧Ｖｇｓは−３．２５Ｖ、ドレイン・ソース間電圧Ｖｄｓは５．０Ｖとなる。この場合には、ゲート・ソース間電圧Ｖｇｓが比較例よりも高くなる。
【００４５】
図４４に示すように、信号線１１４−１に接続され、第２対向電極１０８Ｂに対応する画素では、第１フィールドの書き込み直前は、第２対向電極１０８ＢのＣＯＭ電圧が５．７５Ｖであり、第２画素電極１１８Ｂの電圧は電位差２．５０Ｖを保持するために８．２５Ｖとなる。また、信号線１１４−１には９．５０Ｖの電圧が供給される。したがって、ゲート・ソース間電圧Ｖｇｓは−８．２５Ｖ、ドレイン・ソース間電圧Ｖｄｓは１．２５Ｖとなり、いずれも比較例よりも低く、フリッカが低減する。
第２フィールドの書き込み直前は、第２対向電極１０８ＢのＣＯＭ電圧が８．２５Ｖであり、第２画素電極１１８Ｂの電圧は電位差２．５０Ｖを保持するために１０．７５Ｖとなる。また、信号線１１４−１には５．７５Ｖの電圧が供給される。したがって、ゲート・ソース間電圧Ｖｇｓは−４．５０Ｖ、ドレイン・ソース間電圧Ｖｄｓは６．２５となり、この場合にはゲート・ソース間電圧が比較例よりも高くなる。
第３フィールドの書き込み直前は、第２対向電極１０８ＢのＣＯＭ電圧が７．００Ｖであり、第２画素電極１１８Ｂの電圧は電位差２．５０Ｖを保持するために４．５０Ｖとなる。また、信号線１１４−１には５．７５Ｖの電圧が供給される。したがって、ゲート・ソース間電圧Ｖｇｓは−４．５０Ｖ、ドレイン・ソース間電圧Ｖｄｓは１．２５Ｖとなり、ドレイン・ソース間電圧Ｖｄｓは比較例よりも低く、フリッカが低減する。
第４フィールドの書き込み直前は、第２対向電極１０８ＢのＣＯＭ電圧が７．００Ｖであり、第２画素電極１１８Ｂの電圧は電位差２．５０Ｖを保持するために４．５０Ｖとなる。また、信号線１１４−１には８．２５Ｖの電圧が供給される。したがって、ゲート・ソース間電圧Ｖｇｓは−４．５０Ｖ、ドレイン・ソース間電圧Ｖｄｓは３．７５Ｖとなる。この場合には、いずれも比較例よりも低く、フリッカが低減する。
【００４６】
図４５に示すように、信号線１１４−２に接続され、第１対向電極１０８Ａに対応する画素では、第１フィールドの書き込み直前は、第１対向電極１０８ＡのＣＯＭ電圧が７．００Ｖであり、第１画素電極１１８Ａの電圧は電位差２．５０Ｖを保持するために９．５０Ｖとなる。また、信号線１１４−２には８．２５Ｖの電圧が供給される。したがって、ゲート・ソース間電圧Ｖｇｓは−８．２５Ｖ、ドレイン・ソース間電圧Ｖｄｓは１．２５Ｖとなり、いずれも比較例よりも低く、フリッカが低減する。
第２フィールドの書き込み直前は、第１対向電極１０８ＡのＣＯＭ電圧が７．００Ｖであり、第１画素電極１１８Ａの電圧は電位差２．５０Ｖを保持するために９．５０Ｖとなる。信号線１１４−２には５．７５Ｖの電圧が供給される。したがって、ゲート・ソース間電圧Ｖｇｓは−５．７０Ｖ、ドレイン・ソース間電圧Ｖｄｓは３．７５Ｖとなり、いずれも比較例よりも低く、フリッカが低減する。
第３フィールドの書き込み直前は、第１対向電極１０８ＡのＣＯＭ電圧が８．２５Ｖであり、第１画素電極１１８Ａの電圧は電位差２．５０Ｖを保持するために５．７５Ｖとなる。信号線１１４−２には４．５０Ｖの電圧が供給される。したがって、ゲート・ソース間電圧Ｖｇｓは−４．５０Ｖ、ドレイン・ソース間電圧Ｖｄｓは１．２５Ｖとなり、ドレイン・ソース間電圧Ｖｄｓについては比較例よりも低く、フリッカが低減する。
第４フィールドの書き込み直前は、第１対向電極１０８ＡのＣＯＭ電圧が５．７５Ｖであり、第１画素電極１１８Ａの電圧は電位差２．５０Ｖを保持するために３．２５Ｖとなる。また、信号線１１４−２には９．５０Ｖの電圧が供給される。したがって、ゲート・ソース間電圧Ｖｇｓは−３．２５Ｖ、ドレイン・ソース間電圧Ｖｄｓは６．２５Ｖとなる。この場合には、いずれも比較例よりも高くなる。
【００４７】
図４５に示すように、信号線１１４−２に接続され、第２対向電極１０８Ｂに対応する画素では、第１フィールドの書き込み直前は、第２対向電極１０８ＢのＣＯＭ電圧が５．７５Ｖであり、第２画素電極１１８Ｂの電圧は電位差２．５０Ｖを保持するために８．２５Ｖとなる。また、信号線１１４−２には８．２５Ｖの電圧が供給される。したがって、ゲート・ソース間電圧Ｖｇｓは−８．２５Ｖ、ドレイン・ソース間電圧Ｖｄｓは０Ｖとなり、いずれも比較例よりも低く、フリッカが低減する。
第２フィールドの書き込み直前は、第２対向電極１０８ＢのＣＯＭ電圧が８．２５Ｖであり、第２画素電極１１８Ｂの電圧は電位差２．５０Ｖを保持するために１０．７５Ｖとなる。また、信号線１１４−２には５．７５Ｖの電圧が供給される。したがって、ゲート・ソース間電圧Ｖｇｓは−５．７５Ｖ、ドレイン・ソース間電圧Ｖｄｓは５．００Ｖとなり、ゲート・ソース間電圧は比較例よりも低くなり、フリッカが低減する。
第３フィールドの書き込み直前は、第２対向電極１０８ＢのＣＯＭ電圧が８．２５Ｖであり、第２画素電極１１８Ｂの電圧は電位差２．５０Ｖを保持するために５．７５Ｖとなる。また、信号線１１４−２には５．７５Ｖの電圧が供給される。したがって、ゲート・ソース間電圧Ｖｇｓは−５．７５Ｖ、ドレイン・ソース間電圧Ｖｄｓは０Ｖとなり、いずれも比較例よりも低く、フリッカが低減する。
第４フィールドの書き込み直前は、第２対向電極１０８ＢのＣＯＭ電圧が７．００Ｖであり、第２画素電極１１８Ｂの電圧は電位差２．５０Ｖを保持するために４．５０Ｖとなる。また、信号線１１４−２には９．５０Ｖの電圧が供給される。したがって、ゲート・ソース間電圧Ｖｇｓは−４．５０Ｖ、ドレイン・ソース間電圧Ｖｄｓは５．００Ｖとなる。この場合には、いずれも比較例と同じ条件となる。
【００４８】
以上のように、第２実施形態においても、ゲート・ソース間電圧Ｖｇｓまたはドレイン・ソース間電圧Ｖｄｓが、あるいはその何れかが比較例よりも高くなる箇所があるものの、当該箇所は局所的かつ瞬間的であり、電圧の程度も極端ではないと捉えられる。したがって、全体としてはゲート・ソース間電圧Ｖｇｓまたはドレイン・ソース間電圧Ｖｄｓが、あるいはその何れかが比較例よりも低くなる箇所が支配的になり、表示全体としてフリッカが低減することになる。
【００４９】
＜変形例＞
本発明は、上述した各実施形態に限定されるものではなく、例えば、以下に述べる各種の変形が可能である。また、各実施形態及び各変形例を適宜組み合わせてもよいことは勿論である。
【００５０】
（１）上述した各実施形態においては、対向電極１０８Ａ，１０８Ｂを市松模様状に配置した例について説明したが、本発明はこのような構成に限定されるものではなく、例えば、対向電極１０８Ａ，１０８Ｂをライン状に交互に配置してもよい。
【００５１】
（２）上述した各実施形態においては、ＣＯＭ電圧１とＣＯＭ電圧２の電位差を、フルレンジの２５％のである１．２５Ｖとした場合について説明したが、本発明はこの構成に限定される訳ではなく、ＣＯＭ電圧１とＣＯＭ電圧２の電位差は、フルレンジの５０％以下であれば従来よりもドメイン量を改善することができる。
【００５２】
＜応用例＞
この発明は、各種の電子機器に利用され得る。図４６ないし図４８は、この発明の適用対象となる電子機器の具体的な形態を例示するものである。
【００５３】
図４６は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００５４】
図４７は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００５５】
図４８は、電気光学装置を採用した投射型表示装置（３板式のプロジェクター）４０００の構成を示す模式図である。この投射型表示装置４０００は、相異なる表示色Ｒ、Ｇ、Ｂに各々対応する３個の電気光学装置１（１Ｒ，１Ｇ，１Ｂ）を含んでいる。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。本発明はこのような液晶プロジェクターにも適用可能である。
【００５６】
なお、本発明が適用される電子機器としては、図１、図４６ないし図４８に例示した機器のほか、携帯情報端末（ＰＤＡ：Ｐｅｒｓｏｎａｌ  Ｄｉｇｉｔａｌ  Ａｓｓｉｓｔａｎｔｓ），デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末，プリンター，スキャナー，複写機，ビデオプレーヤ，タッチパネルを備えた機器等などが挙げられる。
【符号の説明】
【００５７】
１…電気光学装置、１０…タイミング制御回路、２０…表示制御回路、４０…制御回路、１００…液晶パネル、１０１…表示領域、１０５…液晶、１０８Ａ…第１対向電極、１０８Ｂ…第２対向電極、１０９Ａ，１０９Ｂ…スルーホール、１１０…画素、１１２…走査線、１１４，１１４−１，１１４−２…信号線、１１５…容量線、１１７Ａ，１１７Ｂ…コモン電源線、１１８Ａ，１１８Ｂ…画素電極、１２０…液晶素子、１２５…補助容量、１３０…走査線駆動回路、１４０…データ線駆動回路。
【図１】
2017009845.tif 000003
【図２】
2017009845.tif 000004
【図３】
2017009845.tif 000005
【図４】
2017009845.tif 000006
【図５】
2017009845.tif 000007
【図６】
2017009845.tif 000008
【図７】
2017009845.tif 000009
【図８】
2017009845.tif 000010
【図９】
2017009845.tif 000011
【図１０】
2017009845.tif 000012
【図１１】
2017009845.tif 000013
【図１２】
2017009845.tif 000014
【図１３】
2017009845.tif 000015
【図１４】
2017009845.tif 000016
【図１５】
2017009845.tif 000017
【図１６】
2017009845.tif 000018
【図１７】
2017009845.tif 000019
【図１８】
2017009845.tif 000020
【図１９】
2017009845.tif 000021
【図２０】
2017009845.tif 000022
【図２１】
2017009845.tif 000023
【図２２】
2017009845.tif 000024
【図２３】
2017009845.tif 000025
【図２４】
2017009845.tif 000026
【図２５】
2017009845.tif 000027
【図２６】
2017009845.tif 000028
【図２７】
2017009845.tif 000029
【図２８】
2017009845.tif 000030
【図２９】
2017009845.tif 000031
【図３０】
2017009845.tif 000032
【図３１】
2017009845.tif 000033
【図３２】
2017009845.tif 000034
【図３３】
2017009845.tif 000035
【図３４】
2017009845.tif 000036
【図３５】
2017009845.tif 000037
【図３６】
2017009845.tif 000038
【図３７】
2017009845.tif 000039
【図３８】
2017009845.tif 000040
【図３９】
2017009845.tif 000041
【図４０】
2017009845.tif 000042
【図４１】
2017009845.tif 000043
【図４２】
2017009845.tif 000044
【図４３】
2017009845.tif 000045
【図４４】
2017009845.tif 000046
【図４５】
2017009845.tif 000047
【図４６】
2017009845.tif 000048
【図４７】
2017009845.tif 000049
【図４８】
2017009845.tif 000050
【図４９】
2017009845.tif 000051